(57)【要約】  遊園地用消毒システムが、遊園地乗り物の乗り物車両内に配置されて遊園地乗り物の物品を収容するように構成されたコンパートメントと、コンパートメント内に配置されて、物品がコンパートメント内に配置されたときに物品の表面に向けて紫外線を送るように構成された紫外線源と、コンパートメント内に配置されて、物品がコンパートメント内に配置されたときに物品の表面に消毒液を向けるように構成されたノズルとを含む。【選択図】図１
2021519163.tif 000002
【特許請求の範囲】
【請求項１】
遊園地用消毒システムであって、
遊園地乗り物の乗り物車両内に配置されたコンパートメントであって、前記遊園地乗り物の物品を収容するように構成されたコンパートメントと、
前記コンパートメント内に配置された紫外線源であって、前記物品が前記コンパートメント内に配置されるとき、前記物品の表面に向けて紫外線を送るように構成された紫外線源と、
前記コンパートメント内に配置されたノズルであって、前記物品が前記コンパートメント内に配置されるとき、前記物品の前記表面に消毒液を向けるように構成されたノズルと、
を含む、システム。
【請求項２】
前記遊園地乗り物の乗り物経路に沿った前記乗り物車両の位置を検出するように構成された制御システムを含み、該制御システムは、前記乗り物車両が前記乗り物経路沿いの特定の位置にあると判断するとき、前記紫外線源、前記ノズル、又はこれらの両方を作動させるように構成される、請求項１に記載のシステム。
【請求項３】
前記コンパートメントは、前記紫外線源、前記ノズル、又はこれらの両方が作動するとき、前記コンパートメントを密閉するように構成されたドアを含み、前記制御システムは、前記乗り物経路に沿った前記乗り物車両の感知された位置に基づいて前記ドアを作動させるように構成される、請求項２に記載のシステム。
【請求項４】
前記消毒システムは、前記コンパートメント内に少なくとも部分的に配置された物品回転装置を含み、該物品回転装置は複数のレセプタクルを含み、該複数のレセプタクルの各レセプタクルは、前記遊園地乗り物の対応する物品を受け取るように構成される、請求項１に記載のシステム。
【請求項５】
前記複数のレセプタクルは、前記物品回転装置の本体に結合され、該本体にアクチュエータが結合され、該アクチュエータは、該本体及び前記複数のレセプタクルを回転させるように構成される、請求項４に記載のシステム。
【請求項６】
前記アクチュエータにモータが結合され、該モータは該アクチュエータの回転を引き起こすように構成され、該モータに制御システムが通信可能に結合され、該制御システムは、前記遊園地乗り物の乗り物経路に沿った前記乗り物車両の位置に少なくとも基づいて前記モータの動作を制御するように構成される、請求項５に記載のシステム。
【請求項７】
前記消毒システムは、前記コンパートメント内に配置されたラックを含み、該ラックは、前記遊園地乗り物の前記物品を、該物品が前記コンパートメント内に配置されたとき、前記物品の前記表面が前記紫外線及び前記消毒液に曝されるように位置付けるよう構成される、請求項１に記載のシステム。
【請求項８】
前記ラックは、前記コンパートメントの底面から延びる一対の突出部を含む、請求項７に記載のシステム。
【請求項９】
前記コンパートメントは、残留消毒液を、貯蔵タンク、廃液容器、又はこれらの両方に向けるように構成された配水管を含む、請求項１に記載のシステム。
【請求項１０】
前記消毒システムは、前記消毒液を前記貯蔵タンクから前記ノズルに向けること、前記消毒液を前記配水管から前記貯蔵タンクに向けること、前記消毒液を前記配水管から前記廃液容器に向けること、又はこれらのいずれかの組み合わせを行うように構成されたポンプを含む、請求項９に記載のシステム。
【請求項１１】
前記消毒システムは、前記遊園地乗り物の前記物品の前記表面から残留消毒液を除去するように構成されたファン、ドライヤー、又はヒータを含む、請求項１に記載のシステム。
【請求項１２】
前記遊園地乗り物の前記物品は、３次元ビデオ、クリップ又は効果を見るためのメガネ、仮想現実ゴーグル、拡張現実ゴーグル、又はこれらの組み合わせを含む、請求項１に記載のシステム。
【請求項１３】
乗り物経路及び乗り物車両を含む遊園地乗り物と、
前記遊園地の消毒システムと、
を含むシステムであって、
前記乗り物車両は、前記乗り物経路に沿って前記遊園地乗り物の方向にゲストを輸送するように構成され、
前記消毒システムは、前記乗り物車両内に配置され、
前記消毒システムは、
前記遊園地乗り物の物品を収容するように構成されたコンパートメントと、
前記コンパートメント内に配置された紫外線源であって、前記物品が前記コンパートメント内に配置されるとき、前記物品の表面に向けて紫外線を送るように構成された紫外線源と、
前記コンパートメント内に配置されたノズルであって、前記物品が前記コンパートメント内に配置されるとき、前記物品の前記表面に消毒液を向けるように構成されたノズルと、
を含む、システム。
【請求項１４】
前記乗り物経路は、前記ゲストが前記乗り物車両から出るための降車領域と、前記ゲストが前記乗り物車両に入るための乗車領域とを含む、請求項１３に記載のシステム。
【請求項１５】
前記紫外線源と前記消毒液の流量制御装置とに通信可能に結合された制御システムを含み、該制御システムは、前記乗り物経路に沿った前記乗り物車両の位置を示すフィードバックを受け取るように構成され、前記制御システムは、前記乗り物車両が前記乗り物経路の前記降車領域から前記乗車領域に移動中であると判断されるとき、前記紫外線源、前記消毒液の前記流量制御装置、又はこれらの両方を作動させるように構成される、請求項１４に記載のシステム。
【請求項１６】
前記遊園地乗り物の第２の物品を収容するように構成された第２のコンパートメントを含み、該第２のコンパートメントは、第２の紫外線源、第２のノズル、又はこれらの両方を含む、請求項１３に記載のシステム。
【請求項１７】
遊園地の消毒システムを含むシステムであって、
前記消毒システムは、遊園地乗り物の乗り物車両内に配置され、
前記消毒システムは、
前記遊園地乗り物の物品を収容するように構成されたコンパートメントと、
前記コンパートメント内に配置された紫外線源であって、前記物品が前記コンパートメント内に配置されるとき、前記物品の表面に向けて紫外線を送るように構成された紫外線源と、
前記コンパートメント内に少なくとも部分的に配置された物品回転装置と、
を含み、前記物品回転装置は複数のレセプタクルを含み、該複数のレセプタクルの各レセプタクルは、前記遊園地乗り物の対応する物品を受け取るように構成される、
システム。
【請求項１８】
前記複数のレセプタクルは、前記物品回転装置の本体に結合され、該本体にアクチュエータが結合され、該アクチュエータは、該本体及び前記複数のレセプタクルを回転させるように構成される、請求項１７に記載のシステム。
【請求項１９】
前記遊園地乗り物の各反復後に前記アクチュエータをある回転割合だけ回転させるように構成された制御システムを含む、請求項１８に記載のシステム。
【請求項２０】
前記物品回転装置の回転は、前記乗り物車両の乗り物拘束具を解除するように構成される、請求項１９に記載のシステム。
【発明の詳細な説明】
【技術分野】
【０００１】
本開示は、一般に遊園地の分野に関する。具体的には、本開示の実施形態は、遊園地用消毒システムに関する。
【背景技術】
【０００２】
本節は、後述する本開示の様々な態様に関連し得る技術の様々な態様を読者に紹介するためのものである。本考察は、読者に背景事情を示して本開示の様々な態様のより良い理解を促す上で役立つと考えられる。従って、これらの記載は、先行技術を認めるものとしてではなく、上記の観点から読むべきものであると理解されたい。
【０００３】
遊園地は、各遊園地ゲスト（来園客）に固有の体験を提供する様々な乗り物及びその他の特徴を含む。場合によっては、ゲストが接する乗り物自動車(ride cars)、ハンドル、相互作用要素(interactive components)又はその他の特徴及び／又は物品に細菌又はその他の望ましくない物質が蓄積することがある。従って、遊園地は、ゲストが頻繁に接する表面からこのような物質を除去するプロセスを含むことができる。現在では、既存の洗浄プロセスには時間が掛かり、従ってゲストが乗り物又はアトラクションを体験するための待ち時間が増加してしまうことがあると認識されている。また、現在では、乗り物車両(ride vehicle)から遊園地物品を取り出し、物品を清浄化して乗り物車両に戻すような既存の洗浄プロセスの実行は非効率的な場合があると認識されている。
【発明の概要】
【課題を解決するための手段】
【０００４】
以下、当初の特許請求の範囲の主題と同一範囲のいくつかの実施形態を要約する。これらの実施形態は、本開示の範囲を限定するものではなく、むしろ開示するいくつかの実施形態の概要を示すものにすぎない。実際には、本開示は、以下に示す実施形態と同様の又は異なる様々な形態を含むことができる。
【０００５】
１つの実施形態では、遊園地用消毒システム(sanitization system for an amusement park)が、遊園地乗り物の乗り物車両内に配置されて遊園地乗り物の物品(article)を収容するように構成されたコンパートメント(compartment)と、コンパートメント内に配置された紫外線源(ultraviolet light source)であって、物品がコンパートメント内に配置されるとき、物品の表面に向けて紫外線を送るように構成された紫外線源と、コンパートメント内に配置されたノズルであって、物品がコンパートメント内に配置されるとき、物品の表面に消毒液(sanitizing fluid)を向けるように構成されたノズルとを含む。
【０００６】
別の実施形態では、システムが、遊園地乗り物及び消毒システムを含む。遊園地乗り物は、乗り物経路(ride path)及び乗り物車両を含み、乗り物車両は、乗り物経路に沿って遊園地乗り物の方向にゲストを輸送するように構成される。消毒システムは乗り物車両内に配置され、消毒システムは、遊園地乗り物の物品を収容するように構成されたコンパートメントと、コンパートメント内に配置された紫外線源であって、物品がコンパートメント内に配置されるとき、物品の表面に向けて紫外線を送るように構成された紫外線源と、コンパートメント内に配置されたノズルであって、物品がコンパートメント内に配置されるとき、物品の表面に消毒液を向けるように構成されたノズルとを含む。
【０００７】
別の実施形態では、システムが、遊園地の消毒システムを含み、消毒システムは、遊園地乗り物の乗り物車両内に配置され、消毒システムは、遊園地乗り物の物品を収容するように構成されたコンパートメントと、コンパートメント内に配置された紫外線源であって、物品がコンパートメント内に配置されるとき、物品の表面に向けて紫外線を送るように構成された紫外線源と、コンパートメント内に少なくとも部分的に配置された物品回転装置とを含み、物品回転装置は複数のレセプタクル(receptacle)を含み、複数のレセプタクルの各レセプタクルは、遊園地乗り物の対応する物品を受け取るように構成される。
【図面の簡単な説明】
【０００８】
【図１】本開示の態様による、遊園地物品用消毒システムの実施形態を示す図である。
【図２】本開示の態様による、図１の消毒システムを有する乗り物車両の実施形態の立面図である。
【図３】本開示の態様による、図１及び図２の消毒システムのコンパートメントの実施形態の斜視図である。
【図４】本開示の態様による、遊園地物品を収容するためのラックを有する図３の消毒システムのコンパートメントの実施形態の斜視図である。
【図５】本開示の態様による、消毒システムの２つのコンパートメントを有する乗り物車両の実施形態の部分的斜視図である。
【図６】本開示の態様による、消毒システムのコンパートメントの物品回転装置の実施形態の立面図である。
【図７】本開示の態様による、図６の物品回転装置の実施形態の斜視図である。
【図８】本開示の態様による、消毒システムのコンパートメントの物品回転装置の実施形態の立面図である。
【図９】本開示の態様による、図８の物品回転装置の実施形態の斜視図である。
【発明を実施するための形態】
【０００９】
全体を通じて同じ部分を同じ符号によって示す添付図面を参照しながら以下の詳細な説明を読めば、本開示のこれらの及びその他の特徴、態様及び利点がより良く理解されるであろう。
【００１０】
以下、本開示の１又は２以上の具体的な実施形態について説明する。これらの実施形態を簡潔に説明するために、本明細書では実際の実装の特徴を全て説明していない場合もある。なお、あらゆる工学又は設計プロジェクトにおいて見られるようなあらゆるこのような実際の実装の開発においては、実装によって異なり得るシステム関連及びビジネス関連の制約の順守などの開発者の個別の目的を達成するために、数多くの実装固有の決定を行わなければならないと理解されたい。さらに、このような開発努力は複雑かつ時間の掛かるものとなり得るが、本開示の恩恵を受ける当業者にとっては設計、製作及び製造という日常的な取り組みであると理解されたい。
【００１１】
遊園地は、遊園地乗り物、実演ショー及びゲームなどの幅広い娯楽を呼び物とする。本明細書で使用する遊園地乗り物は、数ある中でも特に、ジェットコースター、ダークライド、テーマライド、タワーライド、ウォーターライドを含むことができる。異なるタイプの娯楽は、遊園地におけるゲストの体験を強化する特徴及び／又は物品を含むことができる。いくつかの例では、遊園地乗り物、ゲーム、相互作用設備及び／又はその他の物品が、ゲストが頻繁に接する又は触れる表面（例えば、ハンドル、ノブ、ハンドヘルド型又はウェアラブル型物品、ゴーグル又はメガネ）を含む。このような表面には、ゲストが表面に接するにつれて、及び／又は表面が乗り物又は物品の環境内の空気、水、ミスト及び／又はこぼれた固体又は液体に接するにつれて、細菌及び／又はその他の望ましくない物質が蓄積することがある。従って、遊園地は、表面を定期的に消毒して細菌又はその他の望ましくない物質を除去する手順を整えることができる。例えば、遊園地は、遊園地乗り物の日常メンテナンス中及び／又は遊園地の休業時間中（例えば、遊園地が閉まっている時）に、乗り物車両から様々な物品（例えば、乗り物のテーマに一致するハンドヘルド装置、乗り物の最中にゲストが装着するウェアラブル装置、乗り物の最中にゲストが装着するメガネ又はゴーグル、乗り物の最中にゲストが使用する相互作用装置）を取り出し、消毒スプレー(sanitization spray)（例えば、石鹸又は抗菌液）を利用して細菌及びその他の望ましくない物質に曝される恐れがある表面を清浄化することができる。
【００１２】
場合によっては、遊園地乗り物の物品が比較的高価であることにより、遊園地が購入してゲストに提供する物品の量が限られることもある。遊園地の従業員は、遊園地のゲストによる使用の合間にこのような物品を乗り物車両から取り出して清浄化し、物品からあらゆる細菌及び／又はその他の望ましくない物質を除去することができる。今では、乗り物車両から物品を取り出して従来の消毒方法を使用して物品を清浄化するのには時間が掛かり、これによって所与の１日を通じて遊園地乗り物、ゲーム、相互作用機能及び／又は娯楽ショーを体験できるゲストの量が減少してしまうと認識されている。
【００１３】
本開示の実施形態は、ゲストが頻繁に接する乗り物車両の物品から消毒スプレー、紫外線又はこれらの両方を利用して細菌及びその他の望ましくない物質を定期的に除去する、遊園地乗り物の乗り物車両上に含めることができる物品用の強化された消毒システムに関する。いくつかの実施形態では、遊園地乗り物の最後に（例えば、乗り物車両が、ゲストが乗り物車両から退出する降車領域に到達した時に）、特定のゲストが遊園地乗り物の物品を乗り物車両のコンパートメント内に置くことができる。このコンパートメントは、乗り物車両が降車領域(unloading region)から乗車領域(loading region)（例えば、ゲストが乗り物車両に入場する乗り物車両の乗り物経路の部分）に輸送される時に遊園地乗り物の物品を消毒するための紫外線源、スプレーノズル及び／又はドライヤーを含むことができる。従って、乗車領域において乗り物車両に入場したゲストは、その後に遊園地乗り物の継続時間全体を通じて（例えば、乗り物車両が乗り物経路に沿って乗車領域から降車領域に移動する際に）遊園地乗り物の消毒済みの物品を利用することができる。
【００１４】
他の実施形態では、乗り物車両が複数のコンパートメントを含むことができ、これによって乗り物車両に乗っているゲストが遊園地乗り物の第２の物品を利用している間に乗り物の継続時間全体を通じて遊園地乗り物の第１の物品が消毒を受けられるようにすることができる。例えば、第１のコンパートメントは、遊園地乗り物の第１の物品を収容してこれに消毒を実行することができる。また、第２のコンパートメントは、乗り物の継続時間全体を通じて空にしておき、その後に乗り物車両が降車領域に到達した時に開いて、ゲストに第２の遊園地物品を第２のコンパートメントに戻すように促すことができる。従って、乗り物車両に乗車する後続のゲストは、遊園地乗り物の第２の物品が消毒を受けている間に遊園地乗り物の第１の物品を利用することができる。さらに別の実施形態では、コンパートメントが、回転、移動又は別様に作動する複数のレセプタクルを含むことができる物品回転装置を含むことができ、各レセプタクルは、遊園地乗り物の物品を受け取るように構成される。作動したレセプタクルは、乗り物車両の単一のコンパートメント内のレセプタクルに配置された対応する物品の消毒サイクルを交互に行うことができる。
【００１５】
ある実施形態では、消毒システムが、乗り物車両に搭載された遊園地乗り物の物品の表面から細菌及びその他の望ましくない物質を少なくとも部分的に除去するように構成される。従って、遊園地乗り物の消毒の頻度及び効率が高まり、これによって遊園地を訪れるゲストの体験を強化することができる。
【００１６】
図を参照すると、図１は、乗り物車両１４上の遊園地乗り物の物品１２を清浄化する消毒システム１０の実施形態を示す図である。図１の例示的な実施形態に示すように、消毒システム１０は、乗り物車両１４内に含まれる、物品１２を消毒するためのコンパートメント１６を含むことができる。いくつかの実施形態では、物品１２が、遊園地乗り物を体験しているゲストが装着するメガネ又はゴーグル（例えば、３次元ビデオ、クリップ又は効果を見るために使用されるメガネ、仮想現実ゴーグル、拡張現実ゴーグル）を含む。他の実施形態では、物品１２が、遊園地の相互作用要素（例えば、遊園地乗り物の構造又は作動装置と通信するように構成されたハンドヘルド要素）、ゲストのゲストプロファイルに関連するウェアラブル装置、又は遊園地乗り物のゲストが保持又は別様に接触する別の好適なコンポーネントを含むことができる。本開示の図示の実施形態では、物品１２をメガネ又はゴーグルとして示しているが、物品１２は、遊園地のゲストが頻繁に接するあらゆる好適なコンポーネントを含むことができると理解されたい。
【００１７】
コンパートメントは、乗り物車両１４が乗り物経路１８に沿って移動する際に物品１２を収容して物品１２を消毒するように構成される。コンパートメント１６は、ゲストが頻繁に接する物品１２の表面から細菌及びその他の望ましくない物質を除去するために物品１２に向けて紫外線２２を放出するように構成された紫外線源２０を含むことができる。紫外線２２は、物品１２の表面に接触して、表面上に存在し得る細菌及びその他の望ましくない物質（例えば、ウィルス）を除去する。いくつかの実施形態では、コンパートメント１６が、物品１２に消毒ミスト(sanitizing mist)又は消毒液(sanitizing liquid)２６（例えば、洗浄液）を噴霧するように構成されたノズル２４も含む。例えば、ノズル２４は、流体源から流体（例えば、洗浄液）を受け取って、紫外線２２の前、後、又はこれと同時に物品１２に向けて消毒ミスト又は消毒液２６を噴霧する。従って、消毒ミスト又は消毒液２６は、紫外線２２と共に物品１２をさらに消毒することができる。いくつかの実施形態では、ノズル２４が、ノズル２４からの放出後の消毒ミスト又は消毒液２６を乾燥させるように動作するドライヤーを表すこともできる。
【００１８】
いくつかの実施形態では、（例えば、乗り物車両１４が単一のコンパートメント１６を含む場合、）乗り物車両１４がゲスト降車領域とゲスト乗車領域との間を移動中に紫外線源２０及び／又はノズル２４が作動する。従って、物品１２を清浄化するための紫外線２０への十分な暴露を物品１２にもたらすように、乗り物車両１４の速度を減速又は低減することができる。非限定的な例として、乗り物車両１４の動きを低減して、１秒〜５分、５秒〜４５秒、又は１０秒〜２０秒の期間、或いは他のいずれかの好適な期間にわたって物品１２が紫外線源２０に曝されることを確実にすることができる。他の実施形態では、（例えば、乗り物車両１４が、複数のコンパートメント１６、及び／又は単一のコンパートメント１６のための物品回転装置を含む場合）乗り物車両１４がゲスト乗車領域とゲスト降車領域との間を移動中に紫外線源２０及び／又はノズル２４が作動する。さらに別の実施形態では、（例えば、コンパートメント１６が閉鎖位置にある場合）乗り物車両１４が実質的に乗り物経路１８全体に沿って移動中に紫外線源２０及び／又はノズル２４が作動する。従って、物品１２の消毒は、遊園地乗り物の営業時間中に（例えば、ゲストが遊園地乗り物の他の乗り物車両に乗っている時に）系統的に実行される。また、物品１２の消毒は、遊園地乗り物の停止時間中に（例えば、ゲストが遊園地乗り物の乗り物車両１４内に存在しない時に）実行することもできる。
【００１９】
紫外線源２０は、物品１２の表面を清浄化する紫外線２２を放出する。いくつかの実施形態では、紫外線２２が、物品１２の表面上に存在する一般的な細菌及び／又はその他の望ましくない物質を除去するのに適した所定の波長を含むことができる。紫外線２２の波長は、１２２〜２００ナノメータとすることができ、これによって物品１２の表面を清浄化する遠紫外（「ＦＵＶ」）線を放出することができる。ＦＵＶは、物品１２の表面上の一般的な細菌又は望ましくない物質を死滅させるのに有効となり得る。他の実施形態では、紫外線２２が、（例えば、１０〜４００ナノメータの）いずれかの好適な波長を含むことができる。
【００２０】
図２は、１又は２以上の物品１２を収容して最終的に消毒するように構成された２つのコンパートメント１６を有する乗り物車両１４の立面図である。図２の例示的な実施形態に示すように、コンパートメント１６は、乗り物車両１４の部分５０内に配置される。例えば、コンパートメント１６は、乗り物車両１４の背もたれ５２内に、及び／又は（例えば、乗り物車両１４の前部座席などの、背もたれ５２を利用できない場合には）乗り物車両１４の車体５４内に位置することができる。従って、コンパートメント１６は、物品１２が乗り物車両１４から取り出されないことによって物品１２の消毒を完了するための時間が削減されるように、乗り物車両１４の車上で遊園地乗り物の物品１２を消毒するように構成される。さらに、物品１２の消毒を乗り物車両上で実行すると、消毒プロセスの速度が増すことによってゲストがきれいな物品１２を使用できる頻度が高まるので、遊園地が購入及び／又は提供する物品１２の数を減少させることができる。さらに、乗り物車両上の物品１２を遊園地乗り物から離れた清浄化施設に輸送しなくてもよい。従って、遠くの清浄化施設に物品１２を移動させることに関連するコストが削減及び／又は排除される。また、遠くの清浄化施設への輸送中に物品１２が損傷するリスクも低下する。
【００２１】
図２の例示的な実施形態に示すように、コンパートメント１６は、それぞれ紫外線源２０及びノズル２４を含むことができる。いくつかの実施形態では、ノズル２４が、紫外線源２０が物品１２に向けて紫外線２２を送るよりも前にそれぞれの物品１２に消毒ミスト又は消毒液２６を向けるように構成される。従って、紫外線源２０は、物品１２を乾燥させ、及び／又は物品１２上又は物品１２内に存在し得る残留(residual)消毒ミスト又は消毒液２６を除去するように機能することができる。これに加えて、又はこれとは別に、コンパートメント１６は、物品１２から残留消毒ミスト又は消毒液２６をさらに除去するファン、ドライヤー又はヒータ５６を含むこともできる。他の実施形態では、ノズル２４が、紫外線源２０が物品１２に向けて紫外線２２を送った後に物品１２に消毒ミスト又は消毒液２６を向けることができる。さらに別の実施形態では、ノズル２４が物品１２に消毒ミスト又は消毒液２６を向け、紫外線源２０が実質的に同時に物品１２に向けて紫外線２２を送る。
【００２２】
図３は、乗り物車両１４内のコンパートメント１６の斜視図である。図３の例示的な実施形態に示すように、コンパートメントは、１又は２以上の紫外線源２０及び１又は２以上のノズル２４を含む。いくつかの実施形態では、１又は２以上のノズル２４が、消毒ミスト又は消毒液２６を受け取って貯蔵する貯蔵タンク７０に流体的に結合される。例えば、貯蔵タンク７０を１又は２以上のノズル２４に流体的に結合する導管７４（例えば、パイプ又は配管）に沿ってポンプ７２が配置される。ポンプ７２は、貯蔵タンク７０から消毒ミスト又は消毒液２６を引き込み、これらを１又は２以上のノズル２４に向けて流すことができる。いくつかの実施形態では、ポンプ７２が、コンパートメント１６に含まれる１又は２以上のノズル２４の各ノズル２４に消毒ミスト又は消毒液２６を向ける。他の実施形態では、１又は２以上のノズル２４の各ノズル２４が、貯蔵タンク７０から消毒ミスト又は消毒液２６を引き込む対応するポンプ７２を含む。
【００２３】
貯蔵タンク７０は、遊園地乗り物を体験しているゲストから隠れるように乗り物車両１４（例えば、乗り物車両１４の車体５４）内に配置することができる。これに加えて、又はこれとは別に、貯蔵タンク７０を利用して、乗り物車両１４に含まれる複数のコンパートメント１６に消毒ミスト又は消毒液２６を供給することもできる。例えば、乗り物車両１４は、乗り物車両１４の座席毎にコンパートメント１６を含むことができる。従って、貯蔵タンク７０は、乗り物車両１４に含まれるあらゆる数のコンパートメント１６に消毒ミスト又は消毒液２６を供給するように構成することができる。他の実施形態では、乗り物車両１４内に含まれる各コンパートメント１６が、消毒ミスト又は消毒液２６を供給するための対応する貯蔵タンク７０を有する。
【００２４】
いずれにせよ、消毒ミスト又は消毒液２６は、１又は２以上のノズル２４から物品１２に向けて噴霧された時にコンパートメント１６の底部７６内に溜まることがある。従って、コンパートメント１６は、残留消毒ミスト又は消毒液２６を収集するための配水管(drain)７８を含むことができる。いくつかの実施形態では、配水管７８が、導管８０（例えば、パイプ又は配管）を介して貯蔵タンク７０に流体的に結合される。残留消毒ミスト又は消毒液２６は、リサイクルされる（例えば、物品１２を清浄化するための複数回の消毒プロセスに使用される）ように、ポンプ８２（例えば、第２のポンプ）によって配水管７８から貯蔵タンク７０に向けられる。消毒ミスト又は消毒液２６によって収集されたあらゆる粒子及び／又は望ましくない物質を除去するために、導管８０に沿って配水管７８と貯蔵タンク７０との間にフィルタ８４（例えば、濾過網(mesh screen)、ふるい(sieve)、吸着式フィルタ）を配置することができる。この結果、フィルタ８４は、消毒ミスト又は消毒液２６が１又は２以上のノズル２４に戻される前に消毒ミスト又は消毒液２６からあらゆる望ましくない物質を除去することができる。
【００２５】
他の実施形態では、消毒ミスト又は消毒液２６を後続の消毒プロセスのためにリサイクル又は再利用しないこともできる。代わりに、消毒ミスト又は消毒液２６は、導管８８（例えば、パイプ又は配管）を介して配水管７８に流体的に結合された廃液容器８６に向けられる。導管８８沿いには、消毒ミスト又は消毒液２６を廃液容器８６に向けるためのポンプ９０（例えば、第２のポンプ８２又は別のポンプ）を配置することができる。他の実施形態では、消毒ミスト又は消毒液２６が、コンパートメント１６に対するコンポーネント（例えば、廃液容器８６）の配置に起因する重力を介して配水管７８から廃液容器８６に流れる。貯蔵タンク７０と同様に、廃液容器８６も、ゲストから隠れるように乗り物車両１４内に配置することができる。また、廃液容器８６は、乗り物車両１４の複数のコンパートメント１６からの消毒ミスト又は消毒液２６を受け取ることもできる。他の実施形態では、廃液容器８６が、単一のコンパートメント１６からの消毒ミスト又は消毒液２６を受け取る。
【００２６】
いくつかの実施形態では、消毒ミスト又は消毒液２６が利用され、蒸発し、及び／又は別様に貯蔵タンク７０に戻されない時に、貯蔵タンク７０を定期的に補充することができる。従って、遊園地乗り物は、貯蔵タンク７０内の消毒ミスト又は消毒液２６を補充する充填ステーション（filling station）９２を含むことができる。例えば、充填ステーション９２は、乗り物経路１８の降車領域及び／又は（例えば、乗り物車両１４の移動方向に対する）乗り物経路１８の降車領域と乗車領域との間のいずれかに配置することができる。充填ステーション９２は、消毒ミスト又は消毒液２６の供給源を貯蔵タンク７０に流体的に結合して、新鮮な消毒ミスト又は消毒液２６を貯蔵タンク７０内に向けるように構成される。消毒ミスト又は消毒液２６の供給源は、（例えば、遊園地乗り物のオペレータによって）手動で、及び／又は（例えば、乗り物車両１４と共に乗り物経路１８に沿って移動する作動部材を介して）自動で貯蔵タンク７０に結合することができる。他の実施形態では、貯蔵タンク７０を、乗り物車両１４の日常メンテナンスの一部として遊園地乗り物の停止時間中（例えば、ゲストが遊園地乗り物を体験していない時）及び／又は他の好適な時間中に（例えば、手動又は自動で）補充することができる。
【００２７】
さらに、貯蔵タンク７０は、貯蔵タンク７０に貯蔵されている消毒ミスト又は消毒液２６に熱エネルギー（例えば、熱）を伝達するように構成された加熱要素９３を含むことができる。従って、ノズル２４を介して物品１２の表面に暖かい消毒ミスト又は消毒液２６を向けることができる。暖かい流体は、物品１２の表面上に存在する固体の除去及び／又は細菌の死滅の効果を高めることができるので、消毒ミスト又は消毒液２６を加熱すると、物品１２の消毒プロセスを強化することができる。例えば、消毒ミスト又は消毒液２６の温度を高めると、低温の消毒ミスト又は消毒液２６と比べた時に、表面上に存在する固化物質(solidified material)をさらに大量に破壊することができる。また、高温環境では細菌も生き延びることができない可能性が高い。従って、消毒ミスト又は消毒液２６の温度を高めることにより、低温の消毒ミスト又は消毒液２６と比べてより多くの細菌を効果的に死滅させることができる。
【００２８】
図３の例示的な実施形態に示すように、１又は２以上の紫外線源２０及びポンプ７２、８２及び／又は９０は電源９４に結合される。電源９４は、乗り物車両１４の複数のコンパートメント１６及び／又はその他のコンポーネント（例えば、ライト、作動部材、音、ディスプレイ）に給電するために利用される単一の電源９４とすることができる。他の実施形態では、電源９４が、単一のコンパートメント１６のコンポーネントに電力を供給するように構成される。電源９４は、バッテリ、発電機、及び／又は別の好適な電源を含むことができる。いずれにせよ、電源９４は、制御システム９６によって制御することができる。いくつかの実施形態では、制御システム９６が、電源９４を介して１又は２以上の紫外線源２０及びポンプ７２、８２及び／又は９０を選択的に動作させるように構成される。従って、１又は２以上の紫外線源２０が停止している（例えば、紫外線２２を送っていない）間に物品１２に向けて消毒ミスト又は消毒液２６を噴霧することができ、或いはこの逆も同様である。他の実施形態では、制御システム９６が、導管７４、８０及び／又は８８に沿って配置されたバルブの位置を調整するように構成された１又は２以上のアクチュエータに通信可能に結合される。このような実施形態では、制御システム９６が、このようなバルブの位置を介して消毒スプレー又はミスト２６の流れを制御することができる。
【００２９】
いずれにせよ、制御システム９６は、機械可読媒体９７（例えば、メモリ）に記憶された、プロセッサ９８が実行できる命令を含むことができる。これらの命令は、１又は２以上の紫外線源２０及び／又はポンプ７２、８２及び／又は９０を作動及び／又は停止させるように構成される。いくつかの実施形態では、制御システム９６が、乗り物車両１４の位置及び／又はコンパートメント１６のドア１００（例えば、図５を参照）の位置を示すフィードバックを受け取るように構成される。従って、制御システム９６は、乗り物車両１４が乗り物経路１８沿いの所定の位置に到達するとき、及び／又はコンパートメント１６のドア１００が開放位置又は閉鎖位置にあると判断される(determined)とき、１又は２以上の紫外線源２０及び／又はポンプ７２、８２、９０を作動及び／又は停止させることができる。従って、消毒プロセスは、コンパートメント１６が密閉されていて（例えば、ドア１００が閉鎖位置にあって）、コンパートメント１６内に物品１２が配置された位置に乗り物車両１４が存在すると制御システム９６が判断するとき、作動することができる。
【００３０】
図４は、コンパートメント１６内の、物品１２の所定の表面（例えば、遊園地乗り物のゲストが頻繁に接する表面）が紫外線２２及び消毒ミスト又は消毒液２６に曝される位置に物品１２を位置付けるように構成されたラック１２０を有するコンパートメント１６の斜視図である。図４の例示的な実施形態に示すように、ラック１２０は、コンパートメント１６の底部７６に沿って延びる一対の突出部１２２を含むことができる。他の実施形態では、ラック１２０が、物品１２の形状を補完し又はこのような形状に対応して、紫外線２２及び／又は消毒ミスト又は消毒液２６に対する物品１２の所定の表面の暴露を強化する位置に物品１２を位置付ける、コンパートメント内に配置された別の構造部品を含むことができる。例えば、ラック１２０は、物品１２を収容又は保持するように構成された円錐スタンド(conical stand)、物品１２を収容又は保持するように構成されたワイヤラック(wire rack)、物品１２を収容又は保持するように構成された有孔棚(perforated shelf)、又はこれらの組み合わせを含むことができる。ラック１２０は、紫外線２２及び／又は消毒ミスト又は消毒液２６に対する所定の表面の暴露を強化するように物品１２を配置することに加えて、物品１２がコンパートメント１６の底部７６からオフセットされることも可能にする。従って、残留消毒ミスト又は消毒液２６が物品１２の表面上又は物品１２内に溜まらず、配水管７８に向かって底面７６上に滴り落ちることができる。
【００３１】
上述したように、いくつかの実施形態では、乗り物車両１４が、対応する物品１２のための単一のコンパートメント１６を含む。このような実施形態では、遊園地乗り物の完了時（例えば、乗り物車両１４が乗り物経路１８沿いの降車領域に到達した時）に、ゲストが物品１２をコンパートメント１６内に置くことができる。その後、乗り物車両１４は、コンパートメント１６内で物品１２が消毒されている間に乗り物経路１８に沿って降車領域から乗車領域に移動することができる。従って、乗車領域において乗り物車両１４に入場するゲストは、その後にコンパートメント１６からきれいな物品１２を取り出して、遊園地乗り物の継続時間全体を通じて（例えば、乗り物車両１４が乗り物経路１８に沿って乗車領域から降車領域に移動する際に）使用することができる。他の実施形態では、乗り物車両１４が、各コンパートメント１６がそれぞれの物品１２を収容して消毒するように構成された複数のコンパートメント１６（例えば、アクセスポイントに対して回転するカルーセル状のコンパートメント１６）を含む。さらに別の実施形態では、単一のコンパートメント１６が複数の物品１２を収容及び／又は消毒するように構成される。
【００３２】
例えば、図５は、乗り物車両１４の単一の座席用の隣接するコンパートメント１６を有する乗り物車両１４の部分図の実施形態である。従って、乗り物車両１４内に位置するゲストは、遊園地乗り物の継続時間全体を通じて（例えば、乗り物車両１４が乗り物経路１８に沿って乗車領域から降車領域に移動する際に）第１の物品１２を利用することができる。さらに、ゲストが第１の物品１２を利用している間に、遊園地乗り物の継続時間全体を通じて第１のコンパートメント１４０内で第２の物品１２を消毒することができる。遊園地乗り物の最後には（例えば、乗り物車両１４が降車領域に到達すると）、第２のコンパートメント１４２のドア１００が開くことができる（例えば、制御システム９６が、ドア１００を開閉するモータなどのアクチュエータ１４３を制御する）。従って、ゲストは、消毒のために第２のコンパートメント１４２内に第１の物品１２を置くことができる。その後、第２のコンパートメント１４２のドア１００は閉じることができる（例えば、制御システム９６が、ドア１００を開閉するアクチュエータ１４３を制御する）。いくつかの実施形態では、制御システム９６を、乗り物車両１４が乗り物経路１８に沿った所定の位置に到達した時にドア１００を開放及び／又は閉鎖するように構成することができる。これに加えて、又はこれとは別に、制御システム９６は、（例えば、負荷センサを介して）物品１２がコンパートメント１６内に置かれたことを検出した時にドア１００を開放及び／又は閉鎖するようにも構成される。他の実施形態では、ドア１００が、遊園地乗り物のゲスト及び／又はオペレータによって手動で開放及び／又は閉鎖される。
【００３３】
いずれにせよ、第１のコンパートメント１４０のドア１００は、例えば乗車領域において後続のゲストが乗り物車両１４に入場した時に開くことができる（例えば、制御システム９６が、ドア１００を開閉するアクチュエータ１４３を制御する）。その後、後続のゲストは、第１のコンパートメント１４０から第２の物品１２を取り出して、遊園地乗り物の継続時間全体を通じてきれいな第２の物品１２を利用することができる。さらに、第１の物品１２は、後続のゲストが第２の物品１２を使用している時に同時に第２のコンパートメント１４２内で消毒される。
【００３４】
１つの実施形態では、乗り物車両１４の乗り物抑制具(ride constraint)１４４（例えば、乗り物拘束具(ride restraint)）を解除するために、物品１２を適切な容器内に配置しなければならない。例えば、乗り物車両１４は、一般に乗り物車両１４内のゲストの動きを阻止するための乗り物抑制具１４４を含むことができる。乗り物経路１８の乗車領域では、乗り物車両１４が乗車領域から降車領域に移動している時に乗り物車両１４内のゲストが乗り物拘束具１４４を実質的に動かすことができないように、乗り物抑制具１４４を適所に固定（ロック）することができる。乗り物車両１４が降車領域に到達すると、ゲストは、コンパートメント１４０又は１４２のどちらが空（例えば、物品１２を含まない適切なコンパートメント）であるかに依存して、物品１２を第１のコンパートメント１４０及び／又は第２のコンパートメント１４２内に配置することができる。いくつかの実施形態では、制御システム９６が、（例えば、負荷センサを介して）適切なコンパートメント１４０及び／又は１４２内の物品１２を検出して、ゲストが乗り物車両１４から退出できるように乗り物拘束具１４４を解除する。さらに、制御システム９６は、物品１２が適切なコンパートメント１４０及び／又は１４２内に存在することを検出すると、アクチュエータ１４３を介して適切なコンパートメント１４０及び／又は１４２のドア１００を閉じることができる。さらに、制御システム９６は、前回の乗り物反復中に消毒を受けた物品１２を含む第１のコンパートメント１４０及び／又は第２のコンパートメント１４２のドア１００を（例えば、アクチュエータ１４３を介して）開くことができる。
【００３５】
いくつかの実施形態では、乗り物拘束具１４４が、第１のコンパートメント１４０及び／又は第２のコンパートメント１４２のドア１００の閉鎖及び／又は開放と同時に解除されるように、歯車装置又は他の物理的接続部を介して第１のコンパートメント１４０及び／又は第２のコンパートメント１４２のドア１００に結合される。他の実施形態では、ドア１００が手動で閉じられた時に乗り物拘束具１４４が解除される。例えば、制御システム９６は、適切なコンパートメント１４０及び／又は１４２のドア１００がゲスト及び／又はオペレータによって閉じられたことを検出した後に乗り物抑制具１４４を解除することができる。他の実施形態では、適切なコンパートメント１４０及び／又は１４２のドア１００が閉じた時に、乗り物拘束具１４４と第１のコンパートメント１４０及び／又は第２のコンパートメント１４２のドア１００との間の物理的接続部が乗り物拘束具１４４を解除することができる。
【００３６】
図５の例示的な実施形態では、乗り物車両１４が、乗り物車両１４内の比較的大量の空間を消費し得る複数のコンパートメント１６を含む。従って、今では、単一のコンパートメント１６内で複数の物品１２間の交代を可能にする装置を含めることが望ましい場合があると認識されている。例えば、図６は、物品カルーセル装置又は回転装置１６０を有するコンパートメント１６の実施形態の平面図である。図６の例示的な実施形態に示すように、物品回転装置１６０は複数のレセプタクル１６２を含み、複数のレセプタクル１６２の各レセプタクル１６２は、物品１２を受け取ってこれらをコンパートメント１６に対して確保するように構成される。図６の例示的な実施形態には４つのレセプタクル１６２を有する物品回転装置１６０を示しているが、物品回転装置１６０は、２つ、３つ、５つ、６つ、７つ、８つ、９つ、１０個又は１１個以上のレセプタクル１６２を含むこともできる。いくつかの実施形態では、乗り物拘束具１４４（例えば、ラップバー）を係合又は解除すると、物品回転装置１６０又は関連するアクセスドアが作動して、ゲストが消毒済みの物品１２を利用できるように回転し及び／又は別様に開くことができる。
【００３７】
いずれにせよ、物品回転装置１６０は、複数の物品１２が消毒プロセスと遊園地乗り物のゲストによる利用とを繰り返すことを可能にする。例えば、コンパートメント１６の外部に位置する第１のレセプタクル１６６には、（例えば、既にコンパートメント１６内で消毒済みの）第１の物品１６４が配置される。ゲストは、第１のレセプタクル１６６からきれいな第１の物品１６４を取り出し、遊園地乗り物の継続時間全体を通じて（例えば、乗り物車両１４が乗り物経路１８に沿って乗車領域から降車領域に移動する際に）これを利用することができる。遊園地乗り物の最後には（例えば、乗り物車両１４が降車領域に到達すると）、ゲストに第１の物品１６４を第１のレセプタクル１６６内に戻すように促すことができる。その後、制御システム９６は、（例えば、モータを介して）物品回転装置１６０を作動させて、軸１６８を中心に円周方向１７０に回転させることができる。これにより、第２の物品１７４を有する第２のレセプタクル１７２がコンパートメント１６の外部に配置され、後続のゲストがきれいな第２の物品１７４を利用できるようになる。
【００３８】
図６の例示的な実施形態に示すように、第１のレセプタクル１６６がコンパートメント１６の外部に配置されると、第２のレセプタクル１７２の表面１７６及び第３のレセプタクル１８０の表面１７８がコンパートメント１６を密閉する。従って、紫外線２２及び消毒ミスト又はスプレー２６をコンパートメント１６の内部１８８から漏出させることなく、それぞれコンパートメント１６の内部に配置された第２の物品１７４、第３の物品１８２及び／又は（第４のレセプタクル１８６内に配置された）第４の物品１８４に向けることができる。換言すれば、表面１７６及び１７８は、紫外線２２及び／又は消毒ミスト又はスプレー２６がコンパートメント１６から漏出してゲストを含む乗り物車両１４の部分に到達するのを妨げる。他の実施形態では、紫外線２２及び／又は消毒ミスト又はスプレー２６の少なくとも一部を、コンパートメント１６から漏出するように構成することもできる。
【００３９】
いくつかの実施形態では、レセプタクル１６６、１７２、１８０及び／又は１８６がコンパートメント１６内で位置を回転させた時に物品１６４、１７４、１８２及び／又は１８４をそれぞれ紫外線２２及び消毒ミスト又はスプレー２６に曝すように、コンパートメント１６が複数の紫外線源２０及び複数のノズル２４を含む。例えば、コンパートメント１６は、いずれかの所定の時点にコンパートメント１６内に位置するレセプタクル１６６、１７２、１８０及び／又は１８６の数（例えば、３つ）に対応する数（例えば、３つ）の紫外線源２０及びノズル２４を含むことができる。従って、物品１６４、１７４、１８２及び／又は１８４は、コンパートメント１６の外部に配置されて最終的に遊園地乗り物のゲストによって利用される前に複数回の消毒プロセスを受ける。他の実施形態では、コンパートメント１６が、物品回転装置１６０上のレセプタクル１６２の数よりも少ない数の紫外線源２０及びノズル２４を有することができる（例えば、図８及び図９を参照）。さらに別の実施形態では、コンパートメント１６が、物品回転装置１６０上に含まれるレセプタクル１６２の数よりも多い数の紫外線源２０及びノズル２４を含むことができる。
【００４０】
図６の例示的な実施形態に示すように、レセプタクル１６６、１７２、１８０及び／又は１８６の各々は、物品回転装置１６０の回転を容易にするように構成された曲面１９０を含むことができる。他の実施形態では、レセプタクル１６６、１７２、１８０及び／又は１８６が、物品回転装置１６０の回転を容易にしながらレセプタクル１６６、１７２、１８０及び／又は１８６内にそれぞれの物品１６４、１７４、１８２及び／又は１８４を収容するのに十分な空間を提供する他の構造形態を含む。
【００４１】
図７は、物品回転装置１６０の回転を引き起こすアクチュエータ２１２に結合されたモータ２１０を示す図６の物品回転装置１６０の斜視図である。図７の例示的な実施形態に示すように、アクチュエータ２１２は、物品回転装置１６０の本体２１４に結合される。本体２１４は、軸１６８の周囲で円周方向１７０に駆動される。さらに、レセプタクル１６６、１７２、１８０及び／又は１８６は、それぞれ締結具、接着剤、溶接又は別の好適な技法を介して本体２１４に結合される。他の実施形態では、レセプタクル１６６、１７２、１８０及び／又は１８６が本体２１４と一体である（例えば、単一の又は共通の材料片から形成される）。いずれにせよ、モータ２１０によって駆動される本体２１４の回転は、レセプタクル１６６、１７２、１８０及び／又は１８６の回転を引き起こす。
【００４２】
いくつかの実施形態では、モータ２１０が制御システム９６に通信可能に結合されることにより、制御システム９６が物品回転装置１６０の回転を制御するようになる。上述したように、制御システム９６は、乗り物経路１８に沿った乗り物車両１４の位置を示すフィードバックを受け取ることができる。従って、制御システム９６は、乗り物車両１４の位置に基づいて物品回転装置１６０の回転を作動させるように構成することができる。例えば、制御システム９６は、乗り物車両１４が降車領域及び／又は降車領域と乗車領域との間（例えば、乗り物車両１４上にゲストが存在しない乗り物経路１８の部分）に存在すると判断すると、モータ２１０を作動させて物品回転装置１６０を約１／４回転（例えば、その１０％以内、５％以内、又は１％以内）だけ回転させることができる。従って、第１のレセプタクル１６６内に配置された第１の物品１６４がコンパートメント１６内に位置するようになり、遊園地乗り物の次の反復中に第１の物品１６４が消毒される。同様に、第２のレセプタクル１７２内の第２の物品１７４はコンパートメント１６の外部に配置される。従って、ゲストは、第２のレセプタクル１７２から第２の物品１７４を取り出して遊園地乗り物の次の反復中に使用することができる。本明細書で使用する遊園地乗り物の反復とは、乗り物車両１４が乗り物経路１８の乗車領域から乗り物経路１８の降車領域に移動して再び乗り物経路１８の乗車領域に戻ること（例えば、乗り物経路１８の全長を乗り物車両１４の方向に移動することを１回完了すること）を意味する。
【００４３】
従って、図６及び図７の物品回転装置１６０は、乗り物車両１４乗り物経路１８に沿って移動する際に４つの物品１２が交代でゲストに使用されることを可能にする。換言すれば、４つの物品１２のうちの１つが遊園地乗り物を体験中の乗り物車両１４内のゲストによって利用されている間に、４つの物品１２のうちの３つが消毒される。従って、消毒を受けるために物品１２を乗り物車両１４から取り出す必要がなく、これによって物品１２を消毒するための時間を短縮し、及び／又は遊園地が購入及び／又は提供する物品１２の数を減少させることができる。従って、より多くの遊園地のゲストが所与の営業時間にわたって遊園地乗り物を体験することができ、遊園地の資本コストを削減することができる。
【００４４】
図８は、少なくとも部分的にコンパートメント１６内に配置された物品回転装置２３０の実施形態の平面図である。図８の例示的な実施形態に示すように、物品回転装置２３０は、物品回転装置２３０の本体２３４の周囲に配置された複数のレセプタクル２３２を含む。物品回転装置２３０の本体２３４は、本体２３４の外面に当接する複数のレセプタクル２３２の表面２３６が狭いので、物品回転装置１６０の本体２１４と比べて小さなサイズを含むことができる。しかしながら、複数のレセプタクル２３２は、乗り物車両１４の空間２３８のさらに内部まで延びることができる。他の実施形態では、他のサイズ及び／又は構成の本体２３４を利用できるように、複数のレセプタクル２３２が異なる形状（例えば、ピラミッド形、球形又は多角形）を含む。上述したように、複数のレセプタクル２３２の表面２４０は、乗り物車両１４が乗り物経路１８に沿って移動する際に消毒プロセスを行うことができるようにコンパートメント１６のシールを形成する。
【００４５】
コンパートメント１６は、１又は２以上の紫外線源２０及び１又は２以上のノズル２４を含む。いくつかの実施形態では、１又は２以上の紫外線源２０及び１又は２以上のノズル２４が、複数のレセプタクル２３２の隣接するレセプタクル２３２間で共有される。例えば、第１の紫外線源２４２は、第１のレセプタクル２４４と、第１のレセプタクル２４４に隣接する第２のレセプタクル２４６との間で共有される。同様に、第１のノズル２４８も、第１のレセプタクル２４４と第２のレセプタクル２４６との間で共有される。さらに、第２の紫外線源２５０及び／又は第２のノズル２５２は、第２のレセプタクル２４６と第３のレセプタクル２５４との間で共有することができる。いくつかの実施形態では、複数のレセプタクル２３２の各レセプタクル２３２が、それぞれのレセプタクル２３２内に配置された対応する物品１２をゲストが利用するまで、遊園地乗り物の複数回（例えば、３回）の反復にわたってコンパートメント１６内に配置される。従って、コンパートメント１６は、対応する物品１２が遊園地乗り物の１回おきの反復で利用される実施形態と比べると、各レセプタクル２３２に対する紫外線２２及び／又は消毒スプレー又はミスト２６への暴露をわずかに抑えるように構成することができる。
【００４６】
図９は、アクチュエータ２７０がモータ２７２によって駆動されて物品回転装置２３０を回転させる物品回転装置２３０の斜視図である。図９の例示的な実施形態に示すように、アクチュエータ２７０は、物品回転装置２３０の本体２３４に結合される。本体２３４は、軸１６８の周囲で円周方向１７０に駆動される。いくつかの実施形態では、モータ２７２が制御システム９６に通信可能に結合されることにより、制御システム９６が物品回転装置２３０の回転を制御するようになる。上述したように、制御システム９６は、乗り物経路１８に沿った乗り物車両１４の位置を示すフィードバックを受け取ることができる。従って、制御システム９６は、乗り物車両１４の位置に基づいて物品回転装置２３０の回転を作動させるように構成することができる。例えば、制御システム９６は、乗り物車両１４が降車領域及び／又は降車領域と乗車領域との間（例えば、乗り物車両１４上にゲストが存在しない乗り物経路１８の部分）に存在すると判断すると、モータ２７２を作動させて物品回転装置２３０を約１／４回転（例えば、その１０％以内、５％以内、又は１％以内）だけ回転させることができる。他の実施形態では、制御システム９６が、モータ２７２を作動させて別の好適な量だけ物品回転装置２３０を回転させることができる。例えば、物品回転装置２３０の回転量は、複数のレセプタクル２３２のレセプタクル２３２の数、及び／又は本体２３４の周囲の複数のレセプタクル２３２の間隔に依存することができる。いずれにせよ、複数のレセプタクル２３２のうちの少なくとも１つの他のレセプタクル２３２がコンパートメント１６内に配置されて消毒プロセスを受けている間に、複数のレセプタクル２３２のうちの少なくとも１つのレセプタクル２３２がコンパートメント１６の外部に存在して、ゲストがこの少なくとも１つのレセプタクル２３２から物品１２を取り出し、遊園地乗り物の継続時間（例えば、１回の反復）全体を通じて物品１２を利用できるようにすることができる。いくつかの実施形態では、乗り物拘束具１４４の作動が、物品回転装置２３０の位置に依存することができる。例えば、物品回転装置２３０の回転がモータ２７２によって駆動されると、乗り物拘束具１４４が解除されてゲストが乗り物車両１４から退出できるようにすることができる。他の実施形態では、乗り物拘束具１４４が解除されると、モータ２７２が作動して物品回転装置２３０の回転を引き起こすことができる。
【００４７】
本明細書では、本開示のいくつかの特徴のみを図示し説明したが、当業者には多くの修正及び変更が思い浮かぶであろう。従って、添付の特許請求の範囲は、本開示の正確な趣旨に従う全てのこのような修正及び変更を含むように意図されていると理解されたい。本明細書に示して特許請求する技術は、本技術分野を確実に改善する、従って抽象的なもの、無形のもの又は純粋に理論的なものではない実際的性質の有形物及び具体例を参照し、これらに適用される。さらに、本明細書の最後に添付するいずれかの請求項が、「．．．［機能］を［実行］する手段」又は「．．．［機能］を［実行］するステップ」として指定されている１又は２以上の要素を含む場合、このような要素は米国特許法１１２条（ｆ）に従って解釈すべきである。一方で、他のいずれかの形で指定された要素を含むあらゆる請求項については、このような要素を米国特許法１１２条（ｆ）に従って解釈すべきではない。
【図１】
2021519163.tif 000003
【図２】
2021519163.tif 000004
【図３】
2021519163.tif 000005
【図４】
2021519163.tif 000006
【図５】
2021519163.tif 000007
【図６】
2021519163.tif 000008
【図７】
2021519163.tif 000009
【図８】
2021519163.tif 000010
【図９】
2021519163.tif 000011
【国際調査報告】
2021519163.tif 000012
2021519163.tif 000013